(57)【特許請求の範囲】
【請求項１】
他面（２ｂ）側に凹凸のないフラット面を有すると共に、有色透明又は無色透明からなる螺鈿細工貼付用部材本体（２）の一面（２ａ）側から、切り目３ｂ又はミシン目を介して所定の文字、図形若しくは記号若しくはこれらの結合によって図柄を形成する面状部材（３）を有するシール材本体（３ａ）を仮貼りし、その後、該螺鈿細工貼付用部材本体（２）の一面（２ａ）側からシール材本体（３ａ）を引き剥がすことで螺鈿細工貼付用部材本体（２）の一面（２ａ）に面状部材（３）を仮貼り状態で残し、その後面状部材（３）が仮貼りされた螺鈿細工貼付用部材本体（２）の一面（２ａ）側より有色塗料（４）を塗布することで該螺鈿細工貼付用部材本体（２）の一面（２ａ）に、面状部材（３）を被包する状態で有色塗料（４）の被膜を形成し、その後面状部材（３）を剥離することで該螺鈿細工貼付用部材本体（２）の一面（２ａ）側に無塗装の一面部位（５）を露出させた後、螺鈿細工貼付用部材本体（２）の一面（２ａ）側から硬化する性質を備えたクリア塗料（６）を吹きつけることで無塗装の一面部位（５）にクリア塗料層（６ａ）を形成し、その後クリア塗料層（６ａ）が形成された無塗装の一面部位（５）を被うべく該一面部位（５）より大きめの平面積を有すべく面状に形成された螺鈿部材（７）を前記一面部位（５）に載置することで該一面部位（５）と該螺鈿部材（７）との間にクリア塗料層（６ａ）を介在させると共に該クリア塗料層（６ａ）を形成するクリア塗料（６）の硬化に伴い前記螺鈿部材（７）を螺鈿細工貼付用部材本体（２）の一面（２ａ）側に貼り付けて螺鈿細工加工品を製造することを特徴とする螺鈿細工加工品の製造方法。
【請求項２】
他面（２ｂ）側に凹凸のないフラット面を有すると共に、有色透明又は無色透明からなる螺鈿細工貼付用部材本体（２）の一面（２ａ）側から、所定の文字、図形若しくは記号若しくはこれらの結合によって図柄を形成すると共に、シール材で形成された面状部材（３）を仮貼りし、その後面状部材（３）が仮貼りされた螺鈿細工貼付用部材本体（２）の一面（２ａ）側より有色塗料（４）を塗布することで該螺鈿細工貼付用部材本体（２）の一面（２ａ）に、面状部材（３）を被包する状態で有色塗料（４）の被膜を形成し、その後面状部材（３）を剥離することで該螺鈿細工貼付用部材本体（２）の一面（２ａ）側に無塗装の一面部位（５）を露出させた後、螺鈿細工貼付用部材本体（２）の一面（２ａ）側から硬化する性質を備えたクリア塗料（６）を吹きつけることで無塗装の一面部位（５）にクリア塗料層（６ａ）を形成し、その後クリア塗料層（６ａ）が形成された無塗装の一面部位（５）を被うべく該一面部位（５）より大きめの平面積を有すべく面状に形成された螺鈿部材（７）を前記一面部位（５）に載置することで、該一面部位（５）と該螺鈿部材（７）との間にクリア塗料層（６ａ）を介在させると共に該クリア塗料層（６ａ）を形成するクリア塗料（６）の硬化に伴い前記螺細部材（７）を螺鈿細工貼付用部材本体（２）の一面（２ａ）側に貼り付けて螺鈿細工加工品を製造することを特徴とする螺鈿細工加工品の製造方法。
【請求項３】
有色透明又は無色透明からなる螺鈿細工貼付用部材本体（２）の他面（２ｂ）側には凹凸のないフラット面から表面が形成され、且つ一面（２ａ）側には有色塗料（４）が塗布されてなり、しかも該有色塗料（４）が塗布された一面（２ａ）側には所定の文字、図形若しくは記号若しくはこれらの結合によって所定の図柄を形成する無塗装の一面部位（５）が硬化する性質を備えたクリア塗料（６）から形成されるクリア塗料層（６ａ）を有して設けられ、且つ該クリア塗料層（６ａ）を有した無塗装の一面部位（５）を具備する螺鈿細工貼付用部材本体（２）の一面（２ａ）側には、前記一面部位（５）より大きめの平面積を有すべく面状に形成された螺鈿部材（７）が前記一面部位（５）と該螺鈿部材（７）との間に介在するクリア塗料層（６ａ）を形成するクリア塗料（６）の硬化に伴い貼り付けられた構成にしてなることを特徴とする螺鈿細工加工品。
【発明の詳細な説明】
【０００１】
【発明の属する技術分野】
本発明は、螺鈿細工加工品及び螺鈿細工加工品の製造方法に関する。
【０００２】
【従来の技術】
従来、例えば、アワビ貝やアコヤ貝等を薄くスライス状態に加工して得られる螺鈿部材を具備した螺鈿細工加工品を製造する場合には、文字、図形若しくは記号若しくはこれらの結合により予め決定された図案に基づき、職人等が木材等の各種材料を用いた各種螺鈿細工貼付用部材本体に凹状部を形成し、その後図案に基づいて形成された凹状部に、前記図案に基づき予め打ち抜きや小刀等を用いて所定の形状に形成した面状の螺鈿部材をはめ込んで貼り付け、その後螺鈿部材の面と螺鈿細工貼付用部材本体の面とを面一仕上げとすべく螺鈿部材がはまり込んだ螺鈿細工貼付用部材本体面を炭等で研いで螺鈿細工加工品を製造していた。
【０００３】
【発明が解決しようとする課題】
しかしながら、上記の如く螺鈿細工加工品を製造する場合においては、下記のような問題点があった。
【０００４】
即ち、上記の如く螺鈿細工加工品を製造する場合には、先ず、予め決定された図案に基づき、職人等が木材等の各種材料を用いた各種螺鈿細工貼付用部材本体に図柄凹状部を形成し、その後図案に基づいて螺鈿細工貼付用部材本体に形成された図柄凹状部に、前記図案に基づき予め打ち抜き型や小刀等を用いて所定の図柄形状に加工形成した面状の螺鈿部材をはめ込んで貼り付けなければならない。
【０００５】
よって、長年の経験を積んだ職人と呼ばれる熟練者でなければ均等な深さの図柄凹状部の形成や該図柄凹状部に隙間無くはめ込むことが出来る螺鈿部材の形成を行なうことが出来ない。
【０００６】
従って、上記一連の作業に多大な時間がかかることとなり、しいては螺鈿細工加工品を大量に加工メーカーのみならず一般消費者等に供給することが極めて難しいという問題が生じていた。
【０００７】
本発明は、上記問題を解決すべくなされたものであり、螺鈿細工加工品を製造する場合において、熟練を要することなく誰でも簡単に大量の螺鈿細工加工品を加工メーカー、一般消費者等に供給することが出来る螺鈿細工加工品の製造方法を提供することを課題とするものである。
【０００８】
【課題を解決するための手段】
即ち、本発明は、前記課題を解決すべくなされたものであり、請求項１に係る発明は、他面２ｂ側に凹凸のないフラット面を有すると共に、有色透明又は無色透明からなる螺鈿細工貼付用部材本体２の一面２ａ側から、切り目３ｂ又はミシン目を介して所定の文字、図形若しくは記号若しくはこれらの結合によって図柄を形成する面状部材３を有するシール材本体３ａを仮貼りし、その後、該螺鈿細工貼付用部材本体２の一面２ａ側からシール材本体３ａを引き剥がすことで螺鈿細工貼付用部材本体２の一面２ａに面状部材３を仮貼り状態で残し、その後面状部材３が仮貼りされた螺鈿細工貼付用部材本体２の一面２ａ側より有色塗料４を塗布することで該螺鈿細工貼付用部材本体２の一面２ａに、面状部材３を被包する状態で有色塗料４の被膜を形成し、その後面状部材３を剥離することで該螺鈿細工貼付用部材本体２の一面２ａ側に無塗装の一面部位５を露出させた後、螺鈿細工貼付用部材本体２の一面２ａ側から硬化する性質を備えたクリア塗料６を吹きつけることで無塗装の一面部位５にクリア塗料層６ａを形成し、その後クリア塗料層６ａが形成された無塗装の一面部位５を被うべく該一面部位５より大きめの平面積を有すべく面状に形成された螺鈿部材７を前記一面部位５に載置することで該一面部位５と該螺鈿部材７との間にクリア塗料層６ａを介在させると共に該クリア塗料層６ａを形成するクリア塗料６の硬化に伴い前記螺鈿部材７を螺鈿細工貼付用部材本体２の一面２ａ側に貼り付けて螺鈿細工加工品を製造するものである。
【０００９】
よって、従来のように、予め決定された図案に基づき、職人等が木材等の各種材料を用いた各種螺鈿細工貼付用部材本体に凹状部を形成し、その後図案に基づいて螺鈿細工貼付用部材本体に形成された凹状部に、前記図案に基づき予め打ち抜き型や小刀等を用いて所定の形状に形成した面状の螺鈿部材をはめ込むといった煩雑な作業を一切介することなく螺鈿細工加工品を職人等の熟練者でなくとも誰もが簡単且つ大量に製造することが出来る利点がある。
【００１０】
更に、螺鈿細工貼付用部材本体２が有色透明又は無色透明からなり、しかも有色塗料４が塗布された一面２ａ側に設けられた無塗装の一面部位５の一部又は全体を被うべく螺鈿部材７が接着手段を介して一面２ａ側に貼り付けられることから、螺鈿細工貼付用部材本体２の他面２ｂ側から所定の文字、図形若しくは記号若しくはこれらの結合により形成された螺鈿部材７の図柄を容易且つ鮮明に透視することが出来る。
【００１１】
よって、従来のように、各種螺鈿細工貼付用部材本体の凹状部に所定の形状に形成した面状の螺鈿部材をはめ込んだ後、螺鈿部材の面と螺鈿細工貼付部材本体の面とを面一仕上げとすべく螺鈿部材が嵌まり込んだ螺鈿細工貼付部材本体面を炭等で研ぐ必要なく、はじめから凹凸のないフラット面を有した他面２ｂ側を表面として各種の物品に使用可能な螺鈿細工加工品を煩雑な作業を行なうことなく簡単且つ大量に製造することが出来、しいては製品コストをも低減することが出来るという利点がある。
【００１２】
更に、請求項２に係る発明は、他面２ｂ側に凹凸のないフラット面を有すると共に、有色透明又は無色透明からなる螺鈿細工貼付用部材本体２の一面２ａ側から、所定の文字、図形若しくは記号若しくはこれらの結合によって図柄を形成すると共に、シール材で形成された面状部材３を仮貼りし、その後面状部材３が仮貼りされた螺鈿細工貼付用部材本体２の一面２ａ側より有色塗料４を塗布することで該螺鈿細工貼付用部材本体２の一面２ａに、面状部材３を被包する状態で有色塗料４の被膜を形成し、その後面状部材３を剥離することで該螺鈿細工貼付用部材本体２の一面２ａ側に無塗装の一面部位５を露出させた後、螺鈿細工貼付用部材本体２の一面２ａ側から硬化する性質を備えたクリア塗料６を吹きつけることで無塗装の一面部位５にクリア塗料層６ａを形成し、その後クリア塗料層６ａが形成された無塗装の一面部位５を被うべく該一面部位５より大きめの平面積を有すべく面状に形成された螺鈿部材７を前記一面部位５に載置することで、該一面部位５と該螺鈿部材７との間にクリア塗料層６ａを介在させると共に該クリア塗料層６ａを形成するクリア塗料６の硬化に伴い前記螺鈿部材７を螺鈿細工貼付用部材本体２の一面２ａ側に貼り付けて螺鈿細工加工品を製造するものである。よって、面状部材３がシール材で形成されてなる場合には、螺鈿細工貼付用部材本体２の他面２ｂ側から透視することができる螺鈿部材７の図柄を必要最小限のコストで多種多様なものに変更可能なだけでなく、図柄の位置も面状部材３の貼り付け位置を変更するだけで至極簡単に変更して商品バリエーションを増やすことが出来、しいては消費者の希望ニーズに合わせた多種多様な仕様の螺鈿細工加工品を低コストで製造することが出来るという利点がある。
【００１３】
又、本発明において、面状部材３が螺鈿細工貼付用部材本体２に仮貼りされるシール材本体３ａに設けられた切り目３ｂ又はミシン目を介して該シール材本体３ａより分離して所定の図柄を形成する場合には、シール材本体３ａを螺鈿細工貼付用部材本体２の一面２ａ側全面に貼り付け、その後係るシール材本体３ａを該一面２ａ側より引き剥がすだけで、多数の面状部材３を一面２ａ側の複数箇所に仮貼り配置させることが出来る。
【００１４】
よって、面状部材３の仮貼り作業を効率良く且つ迅速に行なうことが出来る利点がある。
【００１５】
更に、クリア塗料層６ａを形成するクリア塗料６が硬化する性質を備えてなることから、螺鈿細工貼付用部材本体２の一面部位５にクリア塗料６を塗布し、その後該一面部位５の一部又は全体を被うべく面状に形成された螺鈿部材７を前記一面部位５に載せるだけで該クリア塗料層６ａを形成するクリア塗料６の硬化に伴い簡単に螺鈿部材７を一面２ａ側に貼り付けることが出来る利点がある。
【００１６】
又、硬化する性質を備えてなるクリア塗料６から形成されるクリア塗料層６ａが無塗装の一面部位５と螺鈿部材７との間に介在することから、螺鈿細工貼付用部材本体２の他面２ｂ側から所定の文字、図形若しくは記号若しくはこれらの結合により形成された螺鈿部材７の図柄により強い光沢を与えて見栄えを良くすることが出来るという利点がある。
【００１７】
【発明の実施の形態】
以下、本発明における螺鈿細工加工品の製造方法により螺鈿細工加工品を製造する場合の一実施形態を図面に従って説明するが、係る実施形態において後述する螺鈿細工加工品は、例えば、時計の文字盤として用いるものである。
【００１８】
図１〜図３に於いて、１は樹脂を用いて有色透明又は無色透明の円盤状に形成された螺鈿細工貼付用部材本体２を有する螺鈿細工加工品を示す。
【００１９】
３は上記螺鈿細工貼付用部材本体２の一面２ａ側に仮貼りされる矩形状のシール材本体３ａ面の所定箇所に、切り目３ｂ又はミシン目（図示せず）を介して所定の文字、図形若しくは記号若しくはこれらの結合によって図柄を形成すべく設けられ、且つ該シール材本体３ａより分離可能な個々の面状部材を示す。
【００２０】
次に上記螺鈿細工貼付用部材本体２と矩形状のシール材本体３ａ及び後述する面状の螺鈿部材７のそれぞれを用いて時計の文字盤（ダイヤル）として形成される螺鈿細工加工品を製造する場合について説明する。
【００２１】
先ず、図１（イ），（ロ）において、螺鈿細工貼付用部材本体２の一面２ａ側から切り目３ｂ又はミシン目（図示せず）を介して所定の文字、図形若しくは記号若しくはこれらの結合によって時計の文字盤の図柄（１２時位置，３時位置，６時位置，９時位置の４箇所に菱形図柄及び各菱形図柄の内方側に５分区切りを一つの図柄に形成すべくリング状に配設された１２個の略扇状図柄）を形成する面状部材３を有するシール材本体３ａを仮貼りする。
【００２２】
その後、同図（ハ）に示すように、シール材本体３ａの四隅の何れかの箇所を把持して螺鈿細工貼付用部材本体２の一面２ａ側から引き剥がすと、各面状部材３は切り目３ｂ又はミシン目（図示せず）を介してシール材本体３ａから分離すると共に螺鈿細工貼付用部材本体２の一面２ａに貼り付けられた状態で残ることになる。
【００２３】
その後、図２（イ）に示すように、各面状部材３が仮貼りされた螺鈿細工貼付用部材本体２の一面２ａ側から、例えば、灰色、黒色、紫色、青色、赤色、茶色等に限らず、必要とする所定色の有色塗料４を塗料吹きつけ装置（図示せず）の噴射ノズル１１を用いて霧状にして塗布（有色塗料４を筆塗してもよく、又塗料槽等への漬け込みでも良いが、塗布ムラなく、しかも塗料を効率よく消費して仕上げるためには有色塗料４を霧状にして吹きつけるのが好ましい。）すると、同図（ロ）に示すように、螺鈿細工貼付用部材本体２の一面２ａには、各面状部材３を被包した状態で有色塗料４の被膜が形成されることになる。
【００２４】
前記の如く有色塗料４を塗料吹きつけ装置（図示せず）の噴射ノズル１１を用いて霧状にして塗布せずとも、例えば、市販のラッカースプレー缶等を用いて螺鈿細工貼付用部材本体２の一面２ａに合成樹脂エナメル塗料等の有色塗料４を噴霧してもよく、この場合であっても螺鈿細工貼付用部材本体２の一面２ａに、各面状部材３を被包した状態で有色塗料４の被膜を形成することが出来る。
【００２５】
次に、図３（イ）に示すように、前記各面状部材３を螺鈿細工貼付用部材本体２の一面２ａから剥離すると、該螺鈿細工貼付用部材本体２の一面２ａ側には無塗装の一面部位５が露出することになる。
【００２６】
その後、同図（ロ）に示すように、上記無塗装の一面部位５が露出した螺鈿細工貼付用部材本体２の一面２ａに、例えば自ら硬化する性質を備えたクリア塗料６を吹きつけることにより、少なくとも無塗装の一面部位５にクリア塗料層６ａを形成することが出来る。
【００２７】
その後、同図（ハ）のように、クリア塗料層６ａが形成された無塗装の一面部位５の全体を被うべく該一面部位５の平面積より大きめの平面積を有した面状の螺鈿部材７を係る一面部位５に載置すると、クリア塗料層６ａを形成するクリア塗料の硬化に伴い面状の螺鈿部材７を螺鈿細工貼付用部材本体２の一面２ａに貼り付けることが可能となる。
【００２８】
尚、上記の如くクリア塗料の硬化に伴い面状の螺鈿部材７を螺鈿細工貼付用部材本体２の一面２ａに貼り付ける場合において、必ずしも無塗装の一面部位５の全体を被うべく該一面部位５の平面積より大きめの平面積を有した面状の螺鈿部材７を単体（一枚）で係る一面部位５に載置する必要はなく、例えば、無塗装の一面部位５の一部を被うことが出来る面状の螺鈿部材７を数枚並べることで一面部位５の平面積より大きめの平面積を確保して無塗装の一面部位５の全体を被う構成であってもよいのは言うまでもない。
【００２９】
よって、例え、無塗装の一面部位５の平面積がアワビ貝やアコヤ貝等を薄くスライス状態に加工して得られる面状の螺鈿部材７の平面積より大きな場合であっても螺鈿部材７を数枚並べることで簡単に無塗装の一面部位５の全体を被うことが出来る利点がある。
【００３０】
従って、従来のように、予め決定された図案に基づき、職人等が木材等の各種材料を用いた各種螺鈿細工貼付用部材本体に凹状部を形成し、その後図案に基づいて螺鈿細工貼付用部材本体に形成された凹状部に、前記図案に基づき予め打ち抜き型や小刀等を用いて所定の形状に形成した面状の螺鈿部材をはめ込むといった煩雑な作業を一切介することなく螺鈿細工加工品１を職人等の熟練者でなくとも誰もが簡単且つ大量に製造することが出来る利点がある。
【００３１】
更に、螺鈿細工貼付用部材本体２が有色透明又は無色透明からなり、しかも有色塗料４が塗布された一面２ａ側に設けられた無塗装の一面部位５の一部又は全体を被うべく螺鈿部材７が硬化するクリア塗料６を接着手段として一面２ａ側に貼り付けられることから、螺鈿細工貼付用部材本体２の他面２ｂ側から所定の文字、図形若しくは記号若しくはこれらの結合により形成された螺鈿部材７の図柄を容易且つ鮮明に透視することが出来る。
【００３２】
よって、従来のように、各種螺鈿細工貼付用部材本体の凹状部に所定の形状に形成した面状の螺鈿部材をはめ込んだ後、螺鈿部材の面と螺鈿細工貼付部材本体の面とを面一仕上げとすべく螺鈿部材が嵌まり込んだ螺鈿細工貼付部材本体面を炭等で研ぐ必要なく、はじめから凹凸のないフラット面を有した他面２ｂ側を表面として各種の物品に使用可能な螺鈿細工加工品１を煩雑な作業を行なうことなく簡単に製造することが出来ると共に製品コストをも低減することが出来るという利点がある。
【００３３】
更に、面状部材３が螺鈿細工貼付用部材本体２に仮貼りされるシール材本体３ａに設けられた切り目３ｂ又はミシン目を介して該シール材本体３ａより分離して所定の図柄を形成する場合には、シール材本体３ａを螺鈿細工貼付用部材本体２の一面２ａ側全面に貼り付け、その後係るシール材本体３ａを該一面２ａ側より引き剥がすだけで多数の面状部材３を一面２ａ側の複数箇所に仮貼り配置させることが出来る。
【００３４】
よって、面状部材３の仮貼り作業を効率良く且つ迅速に行なうことが出来る利点がある。
【００３５】
更に、面状部材３がシール材で形成されてなる場合には、螺鈿細工貼付用部材本体２の他面２ｂ側から透視することができる螺鈿部材７の図柄を必要最小限のコストで多種多様なものに変更可能なだけでなく、図柄の位置も面状部材３の貼り付け位置を変更するだけで至極簡単に変更して商品バリエーションを増やすことが出来、しいては消費者の希望ニーズに合わせた多種多様な仕様の螺鈿細工加工品を低コストで製造することが出来るという利点がある。
【００３６】
尚、上記実施形態において、面状の螺鈿部材７は自ら硬化する性質を備えたクリア塗料６の硬化に伴い螺鈿細工貼付用部材本体２の一面２ａに貼り付けられる構成にしてなるが、図４（イ）に示すように、接着手段に、例えば、パーメナックＮ（日本油脂（株）：登録商標）という硬化剤８をポリライト（大日本インキ化学工業（株）：登録商標）というクリア塗料６に含有したものを用いてもよい。
【００３７】
よって、この場合であっても、螺鈿細工貼付用部材本体２の一面部位５に前記硬化剤８が含有されたクリア塗料６を塗布し、その後該一面部位５の一部又は全体を被うべく面状に形成された螺鈿部材７を前記一面部位５に載せるだけで簡単に螺鈿部材７を一面２ａ側に貼り付けることが出来るが、硬化剤８を別途含有させることで、より速く且つ強固に螺鈿部材７を螺鈿細工貼付用部材本体２の一面２ａに貼り付けることが出来るという利点がある。
【００３８】
更に、硬化剤８を含有したクリア塗料６が無塗装の一面部位５と螺鈿部材７との間に介在する場合には、螺鈿細工貼付用部材本体２の他面２ｂ側から所定の文字、図形若しくは記号若しくはこれらの結合により形成された螺鈿部材７の図柄により強い光沢を与えて見栄えを良くすることが出来るという利点がある。
【００３９】
更に、同図（ロ）に示すように、無塗装の一面部位５が露出した螺鈿細工貼付用部材本体２の一面２ａに、クリア塗料を吹きつけて、少なくとも無塗装の一面部位５にクリア塗料層６ａを形成した後、面状の螺鈿部材７を係る一面部位５に載置し、その後硬化剤８を塗布してもよく、この場合であってもクリア塗料層６ａのクリア塗料及び硬化剤８の硬化に伴い面状の螺鈿部材７を螺鈿細工貼付用部材本体２の一面２ａに貼り付けることが出来るという利点がある。
【００４０】
更に、同図（ハ）に示すように、少なくとも無塗装の一面部位５に硬化剤８を塗布し、面状の螺鈿部材７を硬化剤８の硬化を介して螺鈿細工貼付用部材本体２の一面２ａに貼り付ける構成であってもよく、要は面状の螺鈿部材７を螺鈿細工貼付用部材本体２の一面２ａに貼り付けることが出来れば、面状の螺鈿部材７の外周の一部又は外周全部を所定の接着剤やテープを用いて一面２ａに貼り付ける構成であってもよく、接着手段に用いられる化学製品や部材等の具体的な種類、構成も決して限定されないのは言うまでもない。
【００４１】
更に、上記実施形態において、面状部材３は螺鈿細工貼付用部材本体２に仮貼りされるシール材本体３ａに設けられた切り目３ｂ又はミシン目を介して該シール材本体３ａより分離して所定の図柄を形成するが、必ずしもシール材で形成された面状部材３がシール材本体３ａから分離する構成でなくともよく、予め所定の図柄をシール材で形成された面状部材３を螺鈿細工貼付用部材本体２の所定の箇所に仮貼り配置し、その後面状部材３が仮貼りされた螺鈿細工貼付用部材本体２の一面２ａ側から有色塗料４塗布した後、面状部材３を螺鈿細工貼付用部材本体２の一面２ａから剥離して螺鈿細工貼付用部材本体２の一面２ａ側に無塗装の一面部位５を設ける構成であってもよい。
【００４２】
尚、上記実施形態において、螺鈿細工貼付用部材本体は有色透明又は無色透明の樹脂を用いて円盤状に形成されてなるが、必ずしも材料に樹脂を用いる必要はなく、要は有色透明又は無色透明であればガラスを用いてもよく、螺鈿細工貼付用部材本体の具体的な材質、形状等も一切限定されないのは言うまでもない。
【００４３】
更に、上記実施形態において、螺鈿細工貼付用部材本体は時計の文字盤を構成するものであるが、螺鈿細工貼付用部材本体を有する螺鈿細工加工品の使用用途等も決して限定されるものではない。
【００４４】
要は、有色透明又は無色透明からなる螺鈿細工貼付用部材本体２の一面２ａ側に有色塗料４が塗布され、しかも該一面２ａ側に設けられた無塗装の一面部位５の一部又は全体を被うべく面状に形成された螺鈿部材７が一面２ａ側に貼り付けられた螺鈿細工加工品が製造されればよい。
【００４５】
【発明の効果】
叙上の様に、本発明における螺鈿細工加工品の製造方法は、他面側に凹凸のないフラット面を有すると共に、有色透明又は無色透明からなる螺鈿細工貼付用部材本体の一面側から、切り目又はミシン目を介して所定の文字、図形若しくは記号若しくはこれらの結合によって図柄を形成する面状部材を有するシール材本体を仮貼りし、その後、該螺鈿細工貼付用部材本体の一面側からシール材本体を引き剥がすことで螺鈿細工貼付用部材本体の一面に面状部材を仮貼り状態で残し、その後面状部材が仮貼りされた螺鈿細工貼付用部材本体の一面側より有色塗料を塗布することで該螺鈿細工貼付用部材本体の一面に、面状部材を被包する状態で有色塗料の被膜を形成し、その後面状部材を剥離することで該螺鈿細工貼付用部材本体の一面側に無塗装の一面部位を露出させた後、螺鈿細工貼付用部材本体の一面側から硬化する性質を備えたクリア塗料を吹きつけることで無塗装の一面部位にクリア塗料層を形成し、その後クリア塗料層が形成された無塗装の一面部位を被うべく該一面部位より大きめの平面積を有すべく面状に形成された螺鈿部材を前記一面部位に載置することで該一面部位と該螺鈿部材との間にクリア塗料層を介在させると共に該クリア塗料層６ａを形成するクリア塗料６の硬化に伴い前記螺鈿部材を螺鈿細工貼付用部材本体の一面側に貼り付けて螺鈿細工加工品を製造するものである。
【００４６】
よって、従来のように、予め決定された図案に基づき、職人等が木材等の各種材料を用いた各種螺鈿細工貼付用部材本体に凹状部を形成し、その後図案に基づいて螺鈿細工貼付用部材本体に形成された凹状部に、前記図案に基づき予め打ち抜き型や小刀等を用いて所定の形状に形成した面状の螺鈿部材をはめ込むといった煩雑な作業を一切介することなく螺鈿細工加工品を職人等の熟練者でなくとも誰もが簡単且つ大量に製造することが出来ることから、熟練を要することなく誰でも簡単に大量の螺鈿細工加工品を加工メーカー、一般消費者等に供給することが出来るという効果を奏する。
【００４７】
更に、螺鈿細工貼付用部材本体が有色透明又は無色透明からなり、しかも有色塗料が塗布された一面側に設けられた無塗装の一面部位の一部又は全体を被うべく螺鈿部材が接着手段を介して一面側に貼り付けられることから、螺鈿細工貼付用部材本体の他面側から所定の文字、図形若しくは記号若しくはこれらの結合により形成された螺鈿部材の図柄を容易且つ鮮明に透視することが出来る。
【００４８】
従って、従来のように、各種螺鈿細工貼付用部材本体の凹状部に所定の形状に形成した面状の螺鈿部材をはめ込んだ後、螺鈿部材の面と螺鈿細工貼付部材本体の面とを面一仕上げとすべく螺鈿部材が嵌まり込んだ螺鈿細工貼付部材本体面を炭等で研ぐ必要なく、はじめから凹凸のないフラット面を有した他面側を表面として各種の物品に使用可能な螺鈿細工加工品を煩雑な作業を行なうことなく簡単に製造することが出来、しいては製品コストをも低減することが出来るという格別な効果を奏するに至った。
【図面の簡単な説明】
【図１】  本発明における螺鈿細工加工品の製造方法を用いて製造される螺鈿細工加工品の製造工程を示し、（イ），（ロ），（ハ）は斜視図。
【図２】  螺鈿細工加工品の製造工程を示し、（イ）は斜視図、（ロ）は（イ）のＡ−Ａ線断面図。
【図３】  螺鈿細工加工品の製造工程を示し、（イ），（ロ），（ハ）は断面図。
【図４】  螺鈿細工加工品の製造工程を示し、（イ），（ロ），（ハ）は断面図。
【符号の説明】
１…螺鈿細工加工品
２…螺鈿細工貼付用部材本体
３…面状部材
４…有色塗料
６…クリア塗料
７…螺鈿部材
８…硬化剤
【図１】
0004192258.tif 000002
【図２】
0004192258.tif 000003
【図３】
0004192258.tif 000004
【図４】
0004192258.tif 000005